(57)【特許請求の範囲】
【請求項１】
内燃機関の排気通路であって該内燃機関が搭載される車両の床下を通過する部分に設けられ排気を浄化する１つ以上の床下触媒と、
前記内燃機関の排気通路であって前記車両の床下を通過する部分よりも上流の部分に設けられる前段触媒と、
前記床下触媒の少なくとも１つの直上流、及び、前記前段触媒の直上流に設けられ流入する排気中の所定成分が吸着して発熱することにより温度が上昇する吸着装置と、
を備えることを特徴とする内燃機関の排気浄化装置。
【請求項２】
前記前段触媒は、モノリス触媒であることを特徴とする請求項１に記載の内燃機関の排気浄化装置。
【請求項３】
前記床下触媒は吸蔵還元型ＮＯx触媒であり、前記前段触媒は酸化機能を有する触媒で
あり、前記前段触媒は前記床下触媒よりも酸化能力が高いことを特徴とする請求項１または２に記載の内燃機関の排気浄化装置。
【請求項４】
前記前段触媒及び前記床下触媒は、吸蔵還元型ＮＯx触媒であることを特徴とする請求
項１または２に記載の内燃機関の排気浄化装置。
【請求項５】
前記前段触媒の直上流に備わる吸着装置よりも、前記床下触媒の直上流に備わる吸着装置のほうが、所定成分を吸着可能な量が多いことを特徴とする請求項１から４の何れか１項に記載の内燃機関の排気浄化装置。
【請求項６】
前記吸着装置は、上限温度までは前記所定成分が吸着し該上限温度に達した後は該所定成分が脱離する性質を有し、
前記床下触媒の直上流に備わる吸着装置の上限温度を、前記前段触媒の活性温度の下限値近傍に設定することを特徴とする請求項１から５の何れか１項に記載の内燃機関の排気浄化装置。
【発明の詳細な説明】
【技術分野】
【０００１】
本発明は、内燃機関の排気浄化装置に関する。
【背景技術】
【０００２】
排気中に含まれる水を吸着する吸着剤を酸化触媒よりも上流側に備え、該吸着剤に水が吸着されるときの発熱により酸化触媒の温度を上昇させる技術が知られている（例えば、特許文献１参照。）。
【特許文献１】特開２００２−１３８８２４号公報
【特許文献２】特開平５−３１３５９号公報
【特許文献３】特開２００２−８９２４０号公報
【発明の開示】
【発明が解決しようとする課題】
【０００３】
ところで、排気通路に複数の触媒を設けることがある。そして、車両への搭載上の制約等から、該車両の床下へ触媒を配置することがある。しかし、吸着剤から触媒までの距離が長くなるため、下流側の触媒の温度上昇が緩慢となる。また、上流側の触媒の温度上昇に熱が消費されると、下流側の触媒に供給される熱が少なくなるため、下流側の触媒の温度上昇が緩慢となる。このように下流側の触媒の温度上昇が緩慢となると、排気の浄化性能が低下する虞がある。また、触媒の種類によっては、配置の仕方により排気の浄化性能を高くすることができる。
【０００４】
本発明は、上記したような問題点に鑑みてなされたものであり、内燃機関の排気浄化装置において、床下に配置された触媒の温度を速やかに上昇させることができる技術を提供することを目的とする。
【課題を解決するための手段】
【０００５】
上記課題を達成するために本発明による内燃機関の排気浄化装置は、以下の手段を採用した。すなわち、本発明による内燃機関の排気浄化装置は、
内燃機関の排気通路であって該内燃機関が搭載される車両の床下を通過する部分に設けられ排気を浄化する１つ以上の床下触媒と、
前記内燃機関の排気通路であって前記車両の床下を通過する部分よりも上流の部分に設けられる前段触媒と、
前記床下触媒の少なくとも１つの直上流に設けられ流入する排気中の所定成分が吸着して発熱することにより温度が上昇する吸着装置と、
を備えることを特徴とする。
【０００６】
ここでいう車両の床下とは、車両の室内空間（車室及び荷物スペース内としても良い）の底面の下側をいう。単に車室の下側としても良い。
【０００７】
また、車両の床下を通過する部分よりも前の部分とは、内燃機関から車両の床下直前までの間をいい、エンジンルーム内としても良い。また、排気マニホールドとしても良い。
【０００８】
床下触媒は、ある程度温度が高くならないと排気中の有害物質を浄化することができない。例えば内燃機関の始動時または始動直後では、前段触媒に排気の熱が奪われるので、床下触媒の温度が低い。ここで、吸着装置に所定成分が吸着されると発熱するので、排気に熱を与える。これにより、排気の温度が上昇するので、該排気が床下触媒を通過することにより該床下触媒の温度が上昇する。
【０００９】
吸着装置に吸着される所定成分は、内燃機関からの排気に元々含まれていた成分であっても良く、外部から排気中に供給した成分であってもよい。なお、以下において「排気中に含まれる成分」といった場合には、内燃機関からの排気に元々含まれていた成分と、外部から排気中に供給した成分と、の両方を含むものとする。吸着装置は、排気中に含まれる成分を吸着するものであれば良く、例えばゼオライトを挙げることができる。
【００１０】
この吸着装置を床下触媒の少なくとも１つの直上流に設けることにより、該床下触媒の温度を上昇させることができる。すなわち、前段触媒からの距離が長いとしても、床下触媒の直上流の吸着装置から熱を供給されるため、該床下触媒の温度を速やかに上昇させることができる。つまり、直上流とは、吸着装置で発生する熱により床下触媒の温度を十分な速さで上昇させることができる範囲を意味する。吸着装置は、床下触媒の上流側に隣接して設けても良い。
【００１１】
本発明においては、前記前段触媒は、モノリス触媒であっても良い。ここで、所定成分が前段触媒よりも上流を流通する排気中に含まれている場合には、該所定成分が前段触媒に付着する虞がある。そうすると、所定成分が吸着装置に到達するまでに時間がかかってしまう。そのため、床下触媒の温度上昇が緩慢となる虞がある。これに対し、前段触媒をモノリス触媒とすると、排気中の所定成分が前段触媒に付着し難くなり、すり抜け易くなる。つまり、より多くの所定成分を吸着装置に速やかに到達させることができるため、床下触媒の温度を速やかに上昇させることができる。
【００１２】
本発明においては、前記床下触媒は吸蔵還元型ＮＯx触媒であり、前記前段触媒は酸化
機能を有する触媒であり、前記前段触媒は前記床下触媒よりも酸化能力が高くても良い。
【００１３】
吸蔵還元型ＮＯx触媒は、流入する排気の酸素濃度が高いときは排気中のＮＯxを吸蔵し、流入する排気の酸素濃度が低く且つ還元剤が存在するときは吸蔵していたＮＯxを還元
する機能を有する。この吸蔵還元型ＮＯx触媒では、ＮＯよりもＮＯ２のほうが容易に吸
蔵されることが知られている。つまり、排気中のＮＯ２濃度を高くすることにより、吸蔵還元型ＮＯx触媒におけるＮＯxの浄化能力を高めることができる。ここで、前段触媒の酸化性能を高くしておくことにより、排気中に含まれるＮＯをＮＯ２に変えることができる。これにより、床下触媒にて、より多くのＮＯxを吸蔵させることが可能となる。
【００１４】
また、吸着装置が排気中に含まれる水を吸着する機能を有している場合には、吸蔵還元型ＮＯx触媒の上流において排気中に含まれる水が除去されることになる。ここで、吸蔵
還元型ＮＯx触媒に水が付着すると、ＮＯxの吸蔵能力が低下することが知られている。つまり、吸蔵還元型ＮＯx触媒の上流側の吸着装置で水を除去することにより、該吸蔵還元
型ＮＯx触媒におけるＮＯx吸蔵能力を高く保つことができる。
【００１５】
本発明においては、前記前段触媒及び前記床下触媒は、吸蔵還元型ＮＯx触媒であって
も良い。
【００１６】
床下触媒は、吸着装置により温度が速やかに上昇されるため、前段触媒よりも早くＮＯxの吸蔵が可能となる。そのため、前段触媒からＮＯxが流出したとしても、下流側の床下触媒にて該ＮＯxを吸蔵することができる。
【００１７】
本発明においては、前記前段触媒の直上流に前記吸着装置と同機能の吸着装置を備えることができる。
【００１８】
このようにすることで、前段触媒もより速やかに浄化可能温度まで上昇させることがで
きるため、排気の浄化能力をより高めることができる。
【００１９】
本発明においては、前記前段触媒の直上流に備わる吸着装置よりも、前記床下触媒の直上流に備わる吸着装置のほうが、所定成分を吸着可能な量が多くても良い。
【００２０】
ここで、内燃機関からの排気は最初に前段触媒を通過するため、排気の熱によりまず前段触媒の温度が上昇される。そのため、床下触媒のほうが前段触媒よりも温度が上昇し難い。これに対し、床下触媒の直上流に設けられている吸着装置において、より多くの所定成分を吸着可能にすることで、より多くの熱を発生させることができるため、該床下触媒の温度を速やかに上昇させることができる。これにより、前段触媒と床下触媒との温度を同時に活性温度の下限値まで上昇させることもできる。
【００２１】
また、このときに前段触媒をモノリス触媒としておけば、前段触媒の直上流に設けられている吸着装置から脱離した所定成分を、床下触媒の直上流に設けられている吸着装置で速やかに吸着させることができる。つまり、所定成分を再利用することができる。これにより、床下触媒の温度を速やかに上昇させることができる。
【００２２】
本発明においては、前記吸着装置は、上限温度までは前記所定成分が吸着し該上限温度に達した後は該所定成分が脱離する性質を有し、
前記床下触媒の直上流に備わる吸着装置の上限温度を、前記前段触媒の活性温度の下限値近傍に設定することができる。
【００２３】
ここで、吸着装置は触媒等とは異なり、吸着による温度上昇には上限がある。この上限温度までは所定成分を吸着することにより発熱するが、上限温度を過ぎると吸着していた所定成分が脱離することにより吸熱する。つまり、この上限温度を過ぎると、吸着装置の温度が下降する。そのため、床下触媒での排気の浄化能力が低下する虞がある。
【００２４】
しかし、このときに前段触媒の温度が活性温度の下限値に到達していれば、該前段触媒にて排気の浄化が可能となるため、床下触媒での排気の浄化能力が低下してもあまり問題とならない。つまり、前段触媒の温度が活性温度の下限値まで上昇した場合には、吸着装置から所定成分を脱離させても良い。
【００２５】
ところで、吸着装置に吸着可能な所定成分の量には限りがある。つまり、床下触媒の温度を上昇させようとしても、吸着装置に多くの所定低分が吸着されている状態では、熱が発生しないために床下触媒の温度を上昇させることが困難となる。これに対し、吸着装置からの熱の供給が必要のないときに、該吸着装置から所定成分を脱離させておけば、次回に床下触媒の温度上昇が必要なときに所定成分を吸着させることが可能となる。また、別途吸着装置から所定成分を脱離させる必要がなくなる。
【発明の効果】
【００２６】
本発明に係る内燃機関の排気浄化装置は、床下に配置された触媒の温度を速やかに上昇させることができる。
【発明を実施するための最良の形態】
【００２７】
以下、本発明に係る内燃機関の排気浄化装置の具体的な実施態様について図面に基づいて説明する。
【実施例１】
【００２８】
図１は、本実施例に係る内燃機関の排気浄化装置を適用する内燃機関とその排気系の概略構成を示す図である。図１に示す内燃機関１は、４つの気筒を有する水冷式の４サイク
ル・ディーゼルエンジンである。この内燃機関１は、車両１００の前側に搭載されている。
【００２９】
また、内燃機関１には、排気通路２が接続されている。この排気通路２は、車両１００の床１０１の下側（以下、床下ともいう。）を通って、該車両１００の後ろ側まで延びている。この排気通路２の途中には、上流側（すなわち内燃機関１側）から順に前段触媒３と、床下吸着剤４と、床下触媒５とが備えられている。
【００３０】
前段触媒３は、内燃機関１から車両１００の床１０１の下側に到達する前までの間の排気通路２に設けられている。この前段触媒３は、例えば排気マニホールドに設けられていても良い。この前段触媒３は、温度に応じて排気の浄化性能が変化する性質を持つ。例えば三元触媒、酸化触媒、吸蔵還元型ＮＯx触媒等の酸化機能を有するものを用いることが
できる。またこれらを組み合わせて直列に配置したものであっても良い。さらに、これらの触媒の下流にパティキュレートフィルタを備えたものであっても良く、これらの触媒をパティキュレートフィルタに担持させたものであっても良い。
【００３１】
例えば吸蔵還元型ＮＯx触媒（以下、単にＮＯx触媒という。）は、温度が浄化ウィンドーの範囲内にあるときであって、流入する排気の酸素濃度が高いときは排気中のＮＯxを
吸蔵し、流入する排気の酸素濃度が低く且つ還元剤が存在するときは吸蔵していたＮＯx
を還元する機能を有する。また、ＮＯx触媒は、活性温度の下限値まで温度が上昇した後
にＣＯ等の成分を供給することにより、浄化ウィンドーの範囲内まで温度上昇する。
【００３２】
床下吸着剤４は、車両１００の床１０１の下側に設けられている。この床下吸着剤４は、排気中に含まれる水を吸着する機能を有し、例えばＮａ／Ｙ型ゼオライト、またはＫ／Ａ型ゼオライトを用いることができる。なお、本実施例においては床下吸着剤４が、本発明における吸着装置に相当する。また、本実施例における床下吸着剤４では水を吸着するが、排気中に含まれる他の成分（排気中に供給される成分を含む）を吸着する性質のものであっても良い。そして、本実施例においては水が、本発明における所定成分に相当する。
【００３３】
また、床下触媒５も、車両１００の床１０１の下側に設けられている。この床下触媒５は、温度に応じて排気の浄化性能が変化する性質を持ち、且つ酸化機能を有するものであれば良く、例えば三元触媒、酸化触媒、吸蔵還元型ＮＯx触媒を用いることができる。ま
た、これらの触媒の下流にパティキュレートフィルタを備えたものであっても良く、これらの触媒をパティキュレートフィルタに担持させたものであっても良い。なお、床下吸着剤４は、床下触媒５の直上流に設けられている。
【００３４】
そして、本実施例では、内燃機関１の始動時等において、たとえば床下触媒５の温度を速やかに上昇させるための触媒昇温制御を実行する。ここで、排気中には水が含まれるため、該水が床下吸着剤４に吸着される。このときに、発熱反応が起こる。この発熱反応により排気の温度が上昇するため、下流の床下触媒５の温度を上昇させることができる。例えば、内燃機関１からより多くの水が排出されるように、該内燃機関１の燃料噴射量を増加させることにより触媒昇温制御が実行される。
【００３５】
床下触媒５の温度が活性温度の下限値まで上昇すると、該床下触媒５で酸化反応が可能となる。例えばＣＯやＨ２を供給すると、これらは床下触媒５にて酸化されるが、このときに発熱するため、該床下触媒５の温度が上昇される。そして、床下触媒５の温度が浄化ウィンドー内に入るまでＣＯやＨ２の供給を続ければ、排気の浄化をより早く行なうことが可能となる。
【００３６】
なお、ＣＯ等の床下触媒５で反応させる成分は、内燃機関１の負荷を調節することにより、該内燃機関１から排出させることができる。また、床下触媒５へ供給する成分を以下「還元剤」という。この還元剤は、外部から排気中へ直接供給しても良い。そして、還元剤には、床下吸着剤４にて吸着され難いものを用いる。これにより、床下吸着剤４よりも上流から還元剤を供給したとしても、該還元剤は床下吸着剤４をすり抜けて床下触媒５へ到達する。
【００３７】
ところで、床下吸着剤４は水を吸着することにより発熱するが、吸着可能な最大量は、温度が上昇するに従い少なくなる。床下吸着剤４の温度が上昇するに従がって、最大吸着量は減少していき、ある温度に達すると０となる。すなわち、床下吸着剤４の温度がある温度に達すると、水を吸着することができなくなるため、該床下吸着剤４の温度は水の吸着によっては上昇しなくなる。しかも、その後に床下吸着剤４から水が離脱し始めるため、該床下吸着剤４の温度が下降する。つまり、床下吸着剤４における水の吸着により上昇される温度には上限がある。このような温度を以下、「上限温度」と称する。
【００３８】
内燃機関１の始動直後では、床下吸着剤４及び床下触媒５の温度は外気温度と等しくなっている。そして、床下吸着剤４を排気が通過するに従って、排気中に含まれる水が床下吸着剤４に吸着されることにより、床下吸着剤４の温度が上昇する。これにより、床下吸着剤４よりも下流の排気の温度が上昇するため、床下触媒５の温度も上昇する。
【００３９】
そして、床下吸着剤４が上限温度に達すると、床下吸着剤４から水の脱離が始まるため、このときの吸熱により床下吸着剤４の温度が低下する。しかし、床下吸着剤４からの水の脱離が完了し、さらに床下吸着剤４に流入する排気の温度が上昇すると、これにより床下吸着剤４の温度も再び上昇を始める。
【００４０】
ここで、本実施例では、床下触媒５の直上流に床下吸着剤４を備えている。この床下触媒５と床下吸着剤４との距離は、該床下吸着剤４で発生する熱により、床下触媒５を十分な速度で温度上昇させることが可能な距離とする。これらは互いに接していても良い。このようにすることで、床下吸着剤４から床下触媒５へ熱を供給することができるので、内燃機関１の冷間始動時等であって床下触媒５の温度が活性温度の下限値よりも低いときに、該床下触媒５の温度を速やかに活性温度の下限値まで上昇させることができる。そうすると、排気の浄化が早期から可能となる。
【００４１】
また、前段触媒３の温度はもともと上昇し易いため、排気の熱により速やかに活性温度の下限値まで上昇する。つまり、前段触媒３と床下触媒５との両方で早期に排気の浄化が可能となる。
【００４２】
さらに、床下吸着剤４に水が吸着すると、床下触媒５に流入する水の量が少なくなる。ここで、床下触媒５にＮＯx触媒が含まれる場合、該ＮＯx触媒は排気中に水が存在するとＮＯxの吸蔵能力が低下する。これに対し、水を床下吸着剤４で除去することにより、Ｎ
Ｏx触媒の吸蔵能力を高めることができる。
【００４３】
また、本実施例では、前段触媒３にモノリス触媒を採用することができる。このモノリス触媒は、排気の流れ方向と平行の壁面で囲まれるセルを複数備えており、その壁面に触媒が担持されている。夫々のセル内には排気の流れを遮るものがないため、排気が円滑に通り抜けることができる。そして、複数のセルの夫々は排気の流れ方向と平行に配置されているため、夫々のセルを形成する壁面の厚み分は排気の流れを妨げるものの、全体として排気の抵抗が小さい。このようなことから、モノリス触媒を採用する前段触媒３を排気が通過しても、該前段触媒３に付着する水の量は少ない。つまり、より多くの水が前段触媒３をすり抜けるため、より多くの水を床下吸着剤４へ供給することができる。そのため
、床下吸着剤４でより多くの熱が発生するので、床下触媒５の温度を速やかに上昇させることができる。
【００４４】
なお、本実施例では、運転者が内燃機関１を停止させようとして例えばキースイッチをＯＦＦとしても、内燃機関１をすぐには停止させないようにしてもよい。そして、例えば、床下吸着剤４に吸着されている水の量が規定値以下となったときに内燃機関１を停止させる。このようにすることで、次回の内燃機関１の始動時に床下吸着剤４に水を吸着させることができるため、床下触媒５の温度を速やかに上昇させることができる。
【００４５】
本実施例では、前段触媒３の酸化能力を、床下触媒５の酸化能力よりも高くしても良い。床下触媒５にＮＯx触媒を採用した場合、ＮＯ２のほうがＮＯよりも該ＮＯx触媒に吸蔵され易い。そして、床下触媒５よりも前段触媒３のほうの酸化能力が高ければ、排気中に含まれるＮＯが前段触媒３でより多くＮＯ２に酸化されるため、排気中のＮＯ２の濃度を高めることができる。これにより、ＮＯx触媒にてより多くのＮＯxを吸蔵することが可能となる。つまり、前段触媒３の酸化能力を高くすることで排気中のＮＯ２濃度を高くすることができるため、ＮＯx触媒におけるＮＯxの浄化能力を高めることができる。
【００４６】
本実施例では、前段触媒３及び床下触媒５の両方共ＮＯx触媒としても良い。この場合
、内燃機関１の始動後に前段触媒３よりも床下触媒５のほうが速く活性温度の下限値に到達するように、前段触媒３、床下吸着剤４、及び床下触媒５の容量を決定しても良い。
【００４７】
このようにすることで、前段触媒３よりも床下触媒５のほうが速くＮＯxの吸蔵が可能
となる。そうすると、例えば前段触媒３に吸蔵されているＮＯxを還元するために還元剤
を供給したときに、該前段触媒３で還元しきれずに流出するＮＯxを床下触媒５で吸蔵す
ることができる。これにより、大気中へＮＯxが放出されることを抑制できる。
【００４８】
なお、本実施例では、床下触媒５を直列または並列に複数備えていても良い。そして、夫々の床下触媒５の直ぐ上流に吸着剤を夫々備えていても良い。
【実施例２】
【００４９】
本実施例は、前段触媒３よりも上流に前段吸着剤６を備えている点で実施例１と相違する。以下、実施例１と異なる点を中心に説明する。
【００５０】
前段吸着剤６は、前段触媒３の直上流に備えられている。この前段触媒３と前段吸着剤６との距離は、該前段吸着剤６で発生する熱により、前段触媒３を十分な速度で温度上昇させることが可能な距離とする。前段吸着剤６と前段触媒３とが接していても良い。これにより、前段吸着剤６から前段触媒３へ熱を供給することができるので、内燃機関１の冷間始動時等であって前段触媒３の温度が活性温度の下限値よりも低いときに、該前段触媒３の温度を速やかに活性温度の下限値まで上昇させることができる。そうすると、排気の浄化が早期から可能となる。
【００５１】
この前段吸着剤６は、排気中に含まれる水を吸着する機能を有し、例えばＮａ／Ｙ型ゼオライト、またはＫ／Ａ型ゼオライトを用いることができる。
【００５２】
このように、前段触媒３と床下触媒５との夫々の直上流に吸着剤を備えることにより、夫々の触媒の温度を速やかに上昇させることができる。
【００５３】
また、本実施例でも、前段触媒３にモノリス触媒を採用することができる。このようにすることで、前段吸着剤６から脱離した水が前段触媒３に付着することを抑制できるため、該前段触媒３にＮＯx触媒を採用している場合には該ＮＯx触媒のＮＯx吸蔵能力が水に
より低下することを抑制できる。さらに、前段吸着剤６から脱離した水を床下吸着剤４へ速やかに供給することができるため、床下触媒５の温度を速やかに上昇させることができる。
【００５４】
そして本実施例では、前段吸着剤６よりも床下吸着剤４のほうが、水を吸着可能な量が多くなるように、夫々の容量を決定しても良い。
【００５５】
ここで、床下触媒５のほうが前段触媒３よりも温度が上昇し難い。これを補うために、床下吸着剤４でより多くの熱を発生させる。つまり、前段吸着剤６よりも床下吸着剤４のほうが、水を吸着可能な量が多くなるように、夫々の容量を決定することで、床下触媒５の温度を速やかに上昇させることができる。これにより、前段触媒３と床下触媒５との温度を同時に活性温度の下限値まで上昇させることもできる。
【００５６】
本実施例では、前段触媒３の活性温度の下限値と、床下吸着剤４が水を吸着可能な上限温度と、が略等しくなるように前段触媒３及び床下吸着剤４を設計しても良い。このようにすることで、前段触媒３の温度が活性温度の下限値に到達するのと同時に床下吸着剤４から水の脱離が始まるため、該床下吸着剤４から水を脱離させるための制御を別途行う必要がなくなる。
【００５７】
ここで、床下吸着剤４に吸着可能な水の量には限りがある。つまり、床下触媒５の温度を上昇させようとしても、床下吸着剤４に多くの水が吸着されている状態では、熱が発生しないために床下触媒５の温度を上昇させることが困難となる。これに対し、床下吸着剤４からの熱の供給が必要のないときに、該床下吸着剤４から水を脱離させておけば、次回の床下触媒５の温度上昇が必要なときに水を吸着させることが可能となる。
【００５８】
そして、前段触媒３でＮＯxを吸蔵可能となれば、床下触媒５のＮＯx吸蔵能力が低下しても問題ない。つまり、前段触媒３の温度が活性温度の下限値まで上昇した場合には、床下吸着剤４から水を脱離させて床下触媒５のＮＯx吸蔵能力が低下したとしても、前段触
媒３でＮＯxを吸蔵することができる。
【００５９】
なお、本実施例では、床下触媒５を直列または並列に複数備えていても良い。そして、夫々の床下触媒５の直ぐ上流に吸着剤を夫々備えていても良い。
【図面の簡単な説明】
【００６０】
【図１】実施例１に係る内燃機関の排気浄化装置を適用する内燃機関とその排気系の概略構成を示す図である。
【図２】実施例２に係る内燃機関の排気浄化装置を適用する内燃機関とその排気系の概略構成を示す図である。
【符号の説明】
【００６１】
１     内燃機関
２     排気通路
３     前段触媒
４     床下吸着剤
５     床下触媒
６     前段吸着剤
１００ 車両
１０１ 床
【図１】
0005369467.tif 000002
【図２】
0005369467.tif 000003